(57)【要約】【課題】  美しく、安全に、かつ容易に、設置・固定・調整・解除・保管等のできるドアストッパーを提供する。【解決手段】  ドアとドア枠を利用したドアストッパーを作成する。  三角柱様の固定具（１）の側面に磁石（２）等を取り付け、ドア枠とドアに取り付けた金属板（３）の間に設置し、ドア枠（４）とドア（５）を固定具の磁石等で連結することによって、ドアの開閉角度を固定する。【選択図】図２
2014234703.tif 000002
【特許請求の範囲】
【請求項１】
三角柱様の固定具をドア枠とドアの間に設置し、ドア枠とドアを固定具で連結することによって、ドアの開閉角度を固定する形式のドアストッパー
【発明の詳細な説明】
【技術分野】
【０００１】  この発明は、三角柱様の固定具をドア枠とドアの間に設置し、ドア枠とドアを固定具で連結することによって、ドアの開閉角度を固定するドアストッパーに関するものである。
【背景技術】
【０００２】  従来のドアストッパーは、ドアと床の間にくさび状のものをはさみ込んでドアを固定するものか、ドアの下部等に突っ張り棒状のものを取り付けてドアを固定するものか、またはドアにＵ字形の物を挟み、完全に閉まらないようにするもの、であった。
【先行技術文献】
【特許文献】
【０００３】
【特許文献１】
【発明の概要】
【発明が解決しようとする課題】
【０００４】  これらには、次のような欠点があった。
（イ）見た目に問題がある。
（ロ）設置・固定・調整・解除等が困難である。
（ハ）足に引っかかる等、通行に支障が生じる可能性がある。
（ニ）未使用時の収納・保管に問題がある。
本発明は、以上のような欠点をなくすためになされたものである。
【課題を解決するための手段】
【０００５】  三角柱様の固定具をドア枠とドアの間に設置し、ドア枠とドアを固定具で連結することによって、ドアの開閉角度を固定する。
【発明の効果】
【０００６】  三角柱様の固定具の側面に磁石を取り付け、これによりドア枠とドアに取り付けた金属板を連結して、ドアの開閉角度を固定するドアストッパーを作成すれば、目立たなく、見た目がよい。【０００７】  ドア枠の任意の位置に取り付けることができるので、従来のもののように床にしゃがんで取り付けたり、隙間に無理に押し込んだりする必要がない。このため設置や固定や調整が容易である。【０００８】  磁石と金属板との連結による固定なので、取り付け・取り外しが容易である。換気のためやペットの出入りのために細く開けて固定した状態のドアを、大きく開けて人が出入りした後、再び元の細く開けた状態に戻して固定することなどが容易にできる。磁石で貼り付けた三角柱様の固定具を取り外せば、すぐに設置前の状態に戻るので、ドアを完全に閉められる。このように解除や再固定等が容易にできる。【０００９】  床に設置しないので、足に引っかける等の危険がなく、安全に使用できる。使用しないときは、付近に取り付けた別の金属板に貼り付ける等すれば、収納も容易である。【００１０】  形状にデザイン性を持たせれば、貼り付けて収納する際等に見た目がさらによい。
【図面の簡単な説明】
【００１１】
【図１】  本発明の斜視図である。
【図２】  本発明を設置する様子を示した斜視図である。
【図３】  本発明を設置した状態の断面図である。
【図４】  本発明の別形態（角度可変）のものを設置した状態の断面図である。
【図５】  本発明を折り曲げた金属板等で作成した場合の斜視図である。
【図６】  本発明のずれ防止の返しを金属板につけた場合の断面図である。
【図７】  折りたたみ式の金属板によって同様の効果をもたせたものの断面図である。
【発明を実施するための形態】
【００１２】  図１は、三角柱様の固定具（１）の側面に磁石（２）を取り付けた図である。
【００１３】  図２や図３で示すように、金属板（３）をドア枠（４）およびドア（５）に取り付け、図１で示した、磁石（２）を取り付けた三角柱様の固定具（１）で連結する。磁石や金属板は、ねじ・両面テープ等、締結する部材を用いて取り付ける。
【実施例】
【００１４】  磁石は、板状のものでも、円盤状や四角形のもの等でもよい。金属板は磁石がつくものならばよい。取り付ける面の数は、２面でも、その他の数の面でもよい。【００１５】  磁石がつく金属製のドア枠やドアであれば、金属板は不要である。また、磁石がつく材質であれば、蝶番やそれを固定するねじなどを金属板の代用にすることもできる。【００１６】  逆にドアやドア枠に磁石を貼り付け、三角柱様の固定具の素材を金属にする、または三角柱様の固定具に金属板を取り付ける等によって、これらを連結してもよい。【００１７】  ウレタン・ゴム・プラスチック・木材・金属等、三角柱様の固定具の素材によって、ドアを傷つけにくいもの、強固に固定するもの、クッション性や消音性を持たせる等いろいろな効果が期待できる。【００１８】  磁石の強弱によって、強固に固定するものから、取り外しを容易にするものまで、いろいろな効果が期待できる。磁石の強弱のほか、貼り付ける個数や磁石の面積等によって、固定力の強弱が調整でき、屋外屋内の使用・長時間短時間の固定等、さまざまな用途に利用できる。金属板の種類等によっても類似の効果が期待できる。【００１９】  磁石と金属板の連結による固定の代わりに、面ファスナーによる固定や、両面テープによる固定等でもよい。これらの固定方法によって、固定力の強弱等が変えられ、いろいろな効果が期待できる。【００２０】  三角柱様の固定具は、その厚みや角度等の形状を様々に変えることで開閉角度を任意に変えられるが、複数を組み合わせてつなげることでも開閉角度の調整ができる。また、３つの角があり、上下面を含めれば、一つで３通り以上の開閉角度が設定できる。【００２１】  図４は、より多くのドアの取り付け形式（蝶番の種類等による開閉角度の違い等）に対応するために角度を可変とした構造を示したものである。この場合、取り付け位置やねじを組み合わせた高さ可変の支柱（６）、支柱（６）自体の高さ、底の厚さ等によって、開閉角度が変えられる。また、複数組み合わせてつなげることでも開閉角度は変えられる。【００２２】  図５のように、固定具は、三角柱でなく、用途に適した角度を持つ、金属板等を折り曲げた固定具等によっても同じような効果が得られる。【００２３】  図５のような固定具においても、素材や厚さ、形状等の工夫で、ドアを傷つけにくいというものから、強固に固定するものまでいろいろな効果が期待できる。また、図４のような構造や図５のような構造の金属板等、それ自体で角度を変えられるものであれば、複数組み合わせなくても、ドアの開閉角度の調整ができる。【００２４】  図６のように、三角柱様の固定具等がずれないように、金属板に滑り止めや段差や返しをつけてもよい。大きく開けた状態で固定する時等に、安定性が得られる等の効果がある。横方向にはずれ防止、縦方向には落下防止になる。三角柱様の固定具を複数組み合わせる時も同様である。【００２５】  図７のように、折りたたみのできる金属板によって三角柱様の固定具と同じ効果を持たせれば、ドアの開閉角度の調整はさらに容易である。この場合、取り外す必要がないので、固定具の一方の辺は、磁石と金属板の組み合わせでなく、ねじ等でドアに固定することもでき、収納がさらに容易で見た目もよくなる。【００２６】  三角柱様の固定具の形状にデザイン性を持たせれば、使用しない時、ドアに貼り付ける際等、意匠として利用できる。【００２７】  三角柱様の固定具の形状に収納性を持たせれば、ドア付近で、印鑑や鍵などを収納することができて、便利である。【００２８】  三角柱様の固定具の形状を中空にし、消臭剤や芳香剤を入れられるようにすれば、設置するドアとドア枠の間は、風がちょうどよく抜けるので、大きな効果が得られる。ドア付近に貼り付けて収納するときも、十分な効果が期待できる。【００２９】  三角柱様の固定具は、ドアの下部に挟み込むドアストッパーとしても使用できる。
【符号の説明】
【００３０】  １  三角柱様の固定具
２  側面に取り付けた磁石
３  ドア枠またはドアに貼り付けた金属板
４  ドア枠
５  ドア
６  支柱
７  返し
【図１】
2014234703.tif 000003
【図２】
2014234703.tif 000004
【図３】
2014234703.tif 000005
【図４】
2014234703.tif 000006
【図５】
2014234703.tif 000007
【図６】
2014234703.tif 000008
【図７】
2014234703.tif 000009